(57)【要約】【課題】電気接続箱付近を通る外部電線群を簡単に電気接続箱に位置決め保持する。【解決手段】電気接続箱のケース本体の側壁下部に電線引出口を設け、該電線引出口の周縁より上壁と両側壁とを突設させた断面倒コ字形の電線挿通枠を設け、上記ケース本体内部から上記電線引出口を通して上記電線挿通枠へとケース内部の電線群を引き出している一方、電気接続箱の付近を通る外部電線群を保持するために、上記電線挿通枠の両側壁より一対の電線ガイド枠を上向きに立設し、該一対の電線ガイド枠の間に外部電線群を通し、電線挿通枠の両側壁の下端に対向させて切り欠いたバンド取付溝を設け、該バンド取付溝にバンドを通して上記電線挿通枠内を通る内部電線群と上記電線ガイド枠間を通る外部電線群とに上記バンドを巻き付けて締結固定している。【選択図】　図４
2004007909.tif 000002
【特許請求の範囲】
【請求項１】
電気接続箱のケース本体の側壁下部に電線引出口を設け、該電線引出口の周縁より上壁と両側壁とを突設させた断面倒コ字形の電線挿通枠を設け、上記ケース本体内部から上記電線引出口を通して上記電線挿通枠へとケース内部の電線群を引き出している一方、
上記電気接続箱の付近を通る外部電線群を保持するために、上記電線挿通枠の両側壁より一対の電線ガイド枠を上向きに立設し、該一対の電線ガイド枠の間に上記外部電線群を通し、
上記電線挿通枠の両側壁の下端に対向させて切り欠いたバンド取付溝を設け、該バンド取付溝にバンドを通して上記電線挿通枠内を通る内部電線群と上記電線ガイド枠間を通る外部電線群とに上記バンドを巻き付けて締結固定していることを特徴とする電気接続箱。
【請求項２】
上記電線ガイド枠は上記電線挿通枠の先端部に突設し、該電線ガイド枠の外面および上記電線挿通枠の両側壁外面を垂直方向に連続させると共に、上記電線ガイド枠の内面および上記電線挿通枠の両側壁内面は円弧形状として基部を幅広補強部すると共に内部電線群および外部電線群の挿通口を上下一対の略半円形状としている請求項１に記載の電気接続箱。
【発明の詳細な説明】
【０００１】
【発明が属する技術分野】
本発明は、電気接続箱に関し、詳しくは、電気接続箱内から引き出される内部電線群と電気接続箱の外部を通る外部電線群とを電気接続箱に固定するものである。
【０００２】
【従来の技術】
従来、電気接続箱内に収容した電線群を外部に引き出すものとして、図５に示すような電気接続箱２に断面倒コ字形状の電線挿通枠１を突設し、該電線挿通枠１を通して電線群ｗ１を引き出し、電線挿通枠１の下端部に設けたバンド取付溝１ａにバンドＡを通して電線群ｗ１を電線挿通枠１の内部に締結保持している。
【０００３】
図６に示すように、電気接続箱２の付近を通る外部電線群Ｗ２がある場合、該外部電線群Ｗ２を位置決め保持するために、電気接続箱２の電線挿通枠１から引き出された内部電線群Ｗ１と共にバンドＢを巻き付けて位置決め保持している場合がある。
【０００４】
【発明が解決しようとする課題】
しかしながら、上記方法によると、まず、電気接続箱からの電線群をバンドＡで締結した後に、外部電線群をバンドＢで締めしなければならず、バンドの締め付けが２カ所となり作業工数が増えると共にバンドも２個必要となる。
また、外部電線群が位置決め保持されていないため、バンド締めしにくい問題がある。
【０００５】
本発明は上記問題に鑑みてなされたもので、電気接続箱の付近を通る外部電線群を内部電線引き出し用の電線挿通枠を利用して位置決め保持出来るようにすることを課題としている。
【０００６】
【課題を解決するための手段】
上記課題を解決するため、本発明は、電気接続箱のケース本体の側壁下部に電線引出口を設け、該電線引出口の周縁より上壁と両側壁とを突設させた断面倒コ字形の電線挿通枠を設け、上記ケース本体内部から上記電線引出口を通して上記電線挿通枠へとケース内部の電線群を引き出している一方、
上記電気接続箱の付近を通る外部電線群を保持するために、上記電線挿通枠の両側壁より一対の電線ガイド枠を上向きに立設し、該一対の電線ガイド枠の間に上記外部電線群を通し、
上記電線挿通枠の両側壁の下端に対向させて切り欠いたバンド取付溝を設け、該バンド取付溝にバンドを通して上記電線挿通枠内を通る内部電線群と上記電線ガイド枠間を通る外部電線群とに上記バンドを巻き付けて締結固定していることを特徴とする電気接続箱を提供している。
【０００７】
上記電気接続箱はケース本体の下部にロアカバーを取り付けている。よって、ケース本体とロアカバーとの境界位置のケース本体側壁下部に電線引出口を設けて内部電線群を引き出し、電線引出口の周縁より突設した上記電線挿通枠の内部を通して引き出している。
【０００８】
上記構成とすると、一対の電線ガイド枠の間に外部電線群を通すことで外部電線群が位置決め保持されているため、電線挿通枠のバンド取付溝に通したバンドで、電気接続箱内から引き出した内部電線群と電気接続箱の外部を通る外部電線群を簡単に締結することができる。
これにより、従来のように複数箇所でバンド締めする必要がなく、部品点数の削減および作業工数の削減を図ることができる。
【０００９】
上記電線ガイド枠は上記電線挿通枠の先端部に突設し、該電線ガイド枠の外面および上記電線挿通枠の両側壁外面を垂直方向に連続させると共に、上記電線ガイド枠の内面および上記電線挿通枠の両側壁内面は円弧形状として基部を幅広補強部すると共に内部電線群および外部電線群の挿通口を上下一対の略半円形状としている。
【００１０】
上記構成とすると、内部電線群と外部電線とはそれぞれ略半円形状の挿通口に嵌合した状態で安定保持されて、バンドの締結作業が容易になると共に、電線ガイド枠の基部を補強することができ、外部電線群に引っ張り力が作用しても破損する恐れはない。
【００１１】
上記外部電線群は電気接続箱の付近を通る電線群の他に、電気接続箱の上部に設けたコネクタに接続される電線群がある場合に、これら電線群を上記電線ガイド枠の間を通して、上記電線挿通枠を通る電線群と共に１つのバンドで締結してもよい。
【００１２】
【発明の実施の形態】
以下、本発明の実施の形態を図面を参照して説明する。
図１乃至図４は、本発明の実施形態を示し、電気接続箱１５はケース本体２０の下部にロアケース１６を組みつけている。上記ケース本体２０の側壁下端に開口した電線引出口２０ａを設け、該電線引出口２０ａの周縁より電線挿通枠１０を突設している。
【００１３】
電線挿通枠１０は側壁１０ａ及び上壁１０ｄからなる断面倒コ字形とし、先端に、両側壁１０ａを上方に延出させた一対の電線ガイド枠１０ｂを設けて略断面Ｈ形状としている。
詳細には、図２に示すように、電線ガイド枠１０ｂの外面１０ｂ−１および電線挿通枠１０の両側壁１０ａの外面１０ａ−１を垂直方向に連続させると共に、電線ガイド枠１０の内面１０ｂ−２および電線挿通枠１０の両側壁１０ａの内面１０ａ−２は円弧状態とし、基部を幅広補強部１０ｂ−３、１０ａ−３としている。また、　これにより電線ガイド枠１０ｂと上壁１０ｄにより半円形状の外部電線挿通口１０Ａを形成し、電線挿通枠１０の先端に半円形状の内部電線挿通口１０Ｂを形成している。
【００１４】
電線挿通枠１０には、電線ガイド枠１０ｂの突出位置近傍に、両側壁１０ａの下端を対向させて切り欠き、バンド取付溝１０ｃを設けている。
【００１５】
上記構成の電気接続箱では、図３に示すように、ケース本体２０内に収容した内部電線群Ｗ１を電線引出口２０ａから引き出し、電線挿通枠１０を通して外部に引き出している。この状態で、図４（Ａ）に示すように、電気接続箱２０の外部に配索される外部電線群Ｗ２を電線ガイド枠１０ｂの間に通し、電線挿通枠１０の上壁１０ｄに沿わせた状態としている。
この状態で、バンド取付溝１０ｃにバンドＢを通し、内部電線群Ｗ１、外部電線群Ｗ２及び電線挿通枠１０にバンドＢを巻き付けて締結固定している。
【００１６】
バンドＢは図４（Ｂ）に示すように、通常の締結バンドで、貫通孔３０ａ内に係止片（図示せず）を突出させた本体部３０より係止歯３１ａを設けたバンド部３１が延在し、該バンド部３１を内部電線群Ｗ１および外部電線群Ｗ２に巻き付けた後に本体部３０の貫通孔３０ａに通して係止歯３１ａに係止片を係止して締結している。
【００１７】
上記構成とすると、電気接続箱の外部に配索する外部電線群Ｗ２を電線ガイド枠１０ｂの間に通しているため、該外部電線群Ｗ２を電線保持枠１０の上面に安定保持でき、該外部電線群Ｗ２を内部電線群Ｗ１と共に電線挿通枠１０の内外位置で１つのバンドＢで締結保持することができる。
【００１８】
特に、外部電線群および内部電線群は半円形状の挿通口１０Ａ、１０Ｂに嵌合して安定保持でき、この安定保持位置の近傍でバンドＢで締結するため、バンドＢによる締結を容易に行うことができる。
このように、バンド締結箇所を複数箇所から１箇所とすることで、作業手数の削減と部品点数の削減を図ることができる。
また、電線ガイド枠１０ｂの基部を幅広として補強しているため、外部電線群Ｗ２に曲げ方向の引張負荷が作用しても、電線ガイド枠１０ｂに破損が生じる恐れはない。
【００１９】
なお、外部電線群Ｗ１がテープ巻き等で結束されていない場合には、一対の電線ガイド枠１０ｂを通すことで外部電線群を集束することができる一方、外部電線群がテープ巻き結束されている場合、あるいはコルゲートチューブで外装されている場合においても一対の電線ガイド枠の間を通すことで電線挿通枠上に位置決め保持できる機能を有する。
【００２０】
さらに、ケース本体に電線引出口および電線挿通枠を設けて内部電線群を側方へと直接に引き出しているため、ロアカバー側より下方に引き出した後に側方へと折り曲げて配索する場合と比較して電線長さを短くできる。かつ、ロアカバーの下方に電線配索用のスペースを不要とすることができる。
【００２１】
【発明の効果】
以上の説明より明らかなように、本発明によれば、電気接続箱の付近を通る外部電線群を、電気接続箱の内部電線群用の電線挿通枠を利用して該電線挿通枠の上面側に位置決め保持できるため、内部電線締結用のバンドにより、内部電線と共に外部電線を締結保持することができる。
これにより、従来のように複数箇所でバンド締めする必要がないため、部品点数の削減および作業工数の削減を図ることができる。
【図面の簡単な説明】
【図１】本発明の電気接続箱の電線挿通枠を示す斜視図である。
【図２】電線挿通枠の正面図である。
【図３】電気接続箱内から電線を引き出した状態を示す図面である。
【図４】（Ａ）は電気接続箱の近傍に配索する電線をバンド締めした状態を示す図面、（Ｂ）はバンドの概略図である。
【図５】従来の電気接続箱の電線挿通枠を示す斜視図である。
【図６】従来の外部電線群の保持方法を示す図面である。
【符号の説明】
１０　電線挿通枠
１０ａ　側壁
１０ｂ　電線ガイド枠
１０ｃ　バンド取付溝
１０ｄ　上壁
１５　　電気接続箱
１６　ロアカバー
２０　ケース本体
２０ａ　電線引出口
Ｂ　バンド
Ｗ１　内部電線群
Ｗ２　外部電線群
【図１】
2004007909.tif 000003
【図２】
2004007909.tif 000004
【図３】
2004007909.tif 000005
【図４】
2004007909.tif 000006
【図５】
2004007909.tif 000007
【図６】
2004007909.tif 000008